(57)【要約】【課題】  上下に対向配備された貼付けローラの間に粘着テープとシート状のワークとを挿通して貼り合わせるテープ貼付け装置において、シワの発生を抑制して歩留まりを向上させるる。【解決手段】  貼付けローラ１，２の手前にテーブル３を配置してワークＷをテーブル３の上面に沿って供給するとともに、テーブル３の上方に、ワークＷよりも幅広に形成された先細り断面形状の貼付け治具４をテーブル上面と平行に横架配備し、この貼付け治具４の前端部とテーブル３の上面との間に形成された間隙ｃに、感熱接着面Ｓｔを有する粘着テープＴとワークＷとを重ね合わせて通過させるようにしている。【選択図】        図１
2007062893.tif 000002
【特許請求の範囲】
【請求項１】
対向配備された貼付けローラの間に、感熱接着面を有するテープとシート状のワークとを挿通加熱して貼り合わせるテープ貼付け装置であって、
前記貼付けローラの手前に支持台を配置して前記ワークを支持台の上面に沿って供給するとともに、前記支持台の上方に、下面が前下がり傾斜された貼付け治具を、その前端部と支持台上面とが平行になるように横架配備し、前記前端部と前記支持台上面との間に形成される間隙に、少なくとも前記ワークを通過させることを特徴とするテープ貼り付け装置。
【請求項２】
前記貼付け治具の前記前端部と支持台上面との間に形成される前記間隙を、該間隙を通過する前記ワークの厚み、または、前記ワークおよび前記テープの厚みに、１ｍｍを加えた大きさ以下に設定してあることを特徴とする請求項１に記載のテープ貼付け装置。
【請求項３】
前記貼付け冶具の前記下面は、前記前端部の最下端から後方に向けて支持台上面に対して後ろ上がりに傾斜する第１案内面を有し、前記第１案内面の前記支持台上面に対する傾斜角度を、５〜３０°に設定してあることを特徴とする請求項１または２に記載のテープ貼付け装置。
【請求項４】
前記貼付け冶具の前記下面は、前記第１案内面よりも傾斜角度の大きい第２案内面を有することを特徴とする請求項３に記載のテープ貼付け装置。
【請求項５】
前記ワークが、ポリウレタンシートである請求項１〜４のいずれか１項に記載のテープ貼り付け装置。
【請求項６】
対向配備された貼付けローラの間に、感熱接着面を有するテープとシート状のワークとを挿通加熱して貼り合わせるテープ貼付け装置に用いる貼付け治具であって、
前記貼付けローラの手前に配置された支持台の上方に支持台上面と平行に横架され、下面が前下がり傾斜された横長部材からなる治具本体を備えており、
該治具本体の前部の最下端から後方に向けて支持台上面に対して後ろ上がりに傾斜する第１案内面と、これよりも傾斜角度の大きい第２案内面を下面に備えており、
前記治具本体の前部の最下端と前記支持台上面との間で、少なくとも前記ワークが通過する間隙が形成されることを特徴とする貼付け治具。
【発明の詳細な説明】
【技術分野】
【０００１】
本発明は、テープをシート状のワークに貼り付けるのに好適なテープ貼付け装置およびこれに用いる貼付け治具に関する。
【背景技術】
【０００２】
従来から粘着テープをシート状のワークに貼り付ける粘着テープ貼付け装置が提案されており、例えば、特許文献１には、粘着テープを、シート状のハガキに貼り付ける粘着テープ貼付装置が開示されている。
【特許文献１】特開２０００−３３５８１６号公報
【発明の開示】
【発明が解決しようとする課題】
【０００３】
しかしながら、従来のテープ貼付装置では、硬質かつ面積の小さなワークを対象としており、シート状のワークの面積が大きく薄くなると、粘着テープとシート状のワークとを重ね合わせて圧着する際に、ワークに波打つようなうねりが発生して周辺部にシワが生じ易く、歩留まりが低下するといった課題があった。特にシート状のワークが柔軟な場合や、製造過程においてワーク周辺部にうねりが生じている場合は、周辺部のシワが発生しやすかった。
【０００４】
また、感熱性接着性の粘着テープとワークとを加熱圧着する際に生じるワークのシワ等を有効に抑制するようにした従来例は見当たらない。
【０００５】
本発明は、このような実情に着目してなされたものであって、シワ等の発生を低減して歩留まりを向上させたテープ貼付け装置およびこれに用いる貼付け治具を提供することを目的とする。
【課題を解決するための手段】
【０００６】
上記目的を達成するために、本発明は以下のように構成した。
【０００７】
すなわち、本発明のテープ貼付け装置は、対向配備された貼付けローラの間に、感熱接着面を有するテープとシート状のワークとを挿通加熱して貼り合わせるテープ貼付け装置であって、前記貼付けローラの手前に支持台を配置して前記ワークを支持台の上面に沿って供給するとともに、前記支持台の上方に、下面が前下がり傾斜された貼付け治具を、その前端部と支持台上面とが平行になるように横架配備し、前記前端部と前記支持台上面との間に形成される間隙に、少なくとも前記ワークを通過させるものである。
【０００８】
ここで、ワークとは、テープを貼り付ける対象物をいう。
【０００９】
貼付けローラは、上下に対向配備されるのが好ましく、少なくとも一方は、加熱ローラである。
【００１０】
貼付け冶具の前端部の断面形状は、先細り状であるのが、貼付けローラにより近接させることができるので好ましい。
【００１１】
また、ワークは、特に柔軟なもの、面積の大きなもの、および薄いものが好ましく、本発明は、ポリウレタンシートや、発泡ポリウレタンシートなどのワークとテープとの接着に対しても有効である。
【００１２】
本発明によると、支持台の前端部および貼付け治具の前端部を、貼付けローラが対向する貼付け箇所の近くに位置させた状態で、支持台の上に載置されて供給されるワークを前進移動させることで、ワークは貼付け治具による押さえ込み作用で上方に浮動することなく貼付け治具の前端部と支持台の上面との間に形成された間隙を通して貼付けローラの間に導くことができ、ワークの上に重ね合わせ供給されたテープと共に貼付けローラ間に供給し、加熱と押圧とを加えることでワークとテープとを、シワの発生を有効に防止しながら貼り合わせることができる。
【００１３】
好ましい実施態様においては、前記貼付け治具の前記前端部と支持台上面との間に形成される前記間隙を、該間隙を通過する前記ワークの厚み、または、前記ワークおよび前記テープの厚みに、１ｍｍを加えた大きさ以下に設定している。
【００１４】
また、前記間隙を、ワークの厚み、または、ワークおよびテープの厚みに、０．５ｍｍを加えた大きさ以下に設定するのが、より好ましい。
【００１５】
この実施態様によると、貼付け治具の前記前端部と支持台上面との間に形成される間隙の大きさを、ワーク等を通過させるに必要な範囲で狭く設定しているので、貼付け冶具の前下がり傾斜された下面に案内されて前端部と支持台上面との間の狭い間隙に挿通案内されることになり、多少雑な姿勢でワークやテープが供給されたとしても、うねりのない好適な状態に矯正されて貼付けローラ間に供給されることになる。
【００１６】
他の実施態様においては、前記貼付け冶具の前記下面は、前記前端部の最下端から後方に向けて支持台上面に対して後ろ上がりに傾斜する第１案内面を有し、前記第１案内面の前記支持台上面に対する傾斜角度を、５〜３０°に設定している。
【００１７】
この実施態様によると、第１案内面と支持台上面とで挟まれた先狭まりの案内空間が形成されることになり、ワークあるいは重ね合わされたワークとテープとは、円滑に案内され、その後、貼付け治具の前端部と支持台上面との間の狭い間隙に挿通案内されることになり、うねりのない好適な状態に矯正されて貼付けローラ間に供給されることになる。
【００１８】
一実施態様においては、前記貼付け冶具の前記下面は、前記第１案内面よりも傾斜角度の大きい第２案内面を有するものである。
【００１９】
この実施態様によると、支持台のワーク供給手前側では、貼付け治具の第２案内面と支持台上面とで挟まれた手前上方に向けて斜めに大きく開放された導入空間が形成され、その奥には、第１案内面と支持台上面とで挟まれた先狭まりの案内空間が形成されることになり、ワークあるいは重ね合わされたワークとテープとは広い導入空間に円滑に供給され、その後、先狭まりの案内空間で無理なく案内されて貼付け治具の前端部と支持台上面との間の狭い間隙に挿通案内されることになる。従って、多少雑な姿勢でワークが供給されたとしても、うねりのない好適な状態に矯正されて貼付けローラ間に供給される。
【００２０】
本発明の貼付け冶具は、対向配備された貼付けローラの間に、感熱接着面を有するテープとシート状のワークとを挿通加熱して貼り合わせるテープ貼付け装置に用いる貼付け治具であって、前記貼付けローラの手前に配置された支持台の上方に支持台上面と平行に横架され、下面が前下がり傾斜された横長部材からなる治具本体を備えており、該治具本体の前部の最下端から後方に向けて支持台上面に対して後ろ上がりに傾斜する第１案内面と、これよりも傾斜角度の大きい第２案内面を下面に備えており、前記治具本体の前部の最下端と前記支持台上面との間で、少なくとも前記ワークが通過する間隙が形成されるものである。
【００２１】
本発明によると、支持台のワーク供給手前側では当該貼付け治具の第２案内面と支持台上とで挟まれた手前上方に向けて斜めに大きく開放された導入空間が形成され、その奥には、第１案内面と支持台上面とで挟まれた先狭まりの案内空間が形成され、ワークあるいは重ね合わされたワークとテープとは広い導入空間に円滑に供給され、その後、先狭まりの案内空間で無理なく案内されて間隙に挿通案内されることになり、うねりのない好適な状態に矯正されて貼付けローラ間に供給されることになる。
【発明の効果】
【００２２】
本発明によれば、薄いシート状のワークに、感熱接着面を有するテープを、シワ等の発生を有効に抑制して貼付けることができ、良品の歩留まりの高い貼り合わせ処理を能率よく行うことが可能となる。
【発明を実施するための最良の形態】
【００２３】
以下、本発明の実施の形態を図面に基づいて説明する。
【００２４】
図１は、本発明に係るテープ貼付け装置の要部の側面図であり、図２は、その斜視図である。
【００２５】
このテープ貼付け装置は、シート状の薄いワークの一例である発泡ポリウレタンシートＷの裏面に、粘着テープＴを貼り合わせてクッション材を製造するためのものである。このテープ貼付け装置は、上下に対向配備された貼付けローラ１，２、発泡ポリウレタンシートＷを載置して前記貼付けローラ１，２間に供給する支持台としてのテーブル３、このテーブル３の前部上方に配備された貼付け治具４、等を備えている。
【００２６】
発泡ポリウレタンのブロック体をスライスして得られる発泡ポリウレタンシートＷは、例えば、円形であり、その表面側を下にしてテーブル３に載置供給される。また、発泡ポリウレタントートＷの裏面に貼り合わされる粘着テープＴは、該シートＷより一回り大きい、例えば、矩形に裁断された枚葉のものであり、一面を加熱によって接着機能を発揮する感熱接着面Ｓｔに、他面を加圧によって接着機能を発揮する感圧接着面Ｓｐとした両面粘着テープが用いられる。
【００２７】
この場合、粘着テープＴは、感熱接着面Ｓｔを用いて発泡ポリウレタンシートＷに貼り合わされることになり、粘着テープＴは、その感熱接着面Ｓｔを下向きにして発泡ポリウレタンシートＷの上に供給される。また、この上側の貼付けローラ１は、駆動ローラであって、ヒータを内蔵した加熱ローラで構成され、粘着テープＴの感熱接着面Ｓｔが接着力を発揮する設定温度に粘着テープＴを加熱して発泡ポリウレタンシートＷに適度に押圧するようにロール間隔が発泡ポリウレタンシートＷと粘着テープＴの厚さに対応して設定されている。
【００２８】
前記貼付け治具４は、帯板状の治具本体５の上面に沿ってステー６を、図５にも示すように、ネジ連結して構成されている。治具本体５は、厚さが約１０ｍｍ、前後幅が約１００数十ｍｍ、横幅が約１０００数百ｍｍの硬質樹脂材（例えばジュラコン）で形成されており、前端側の下面が斜めに切断されて先細り断面形状に形成されている。前記ステー６は、ステンレス鋼で角棒状に形成されており、このステー６によって治具本体５の反りや撓みが防止されている。また、ステー６の左右両端には、取付け座６ａが設けられている。
【００２９】
他方、テーブル３の前部左右には、治具取付け台７が固定配備され、この治具取付け台７に上方から差し込み立設されたブラケット８がスプリングピンなどの連結ピン９で連結されている。そして、左右のブラケット８の間に前記ステー６が挿入されて、各取付け座６ａが前後２本のボルト１０によってブラケット８に連結されるようになっている。ここで、ブラケット８のボルト挿通孔１１はやや前下がりに傾斜した前後長孔に構成されており、ブラケット８に対する取付け座６ａの連結位置をボルト挿通孔１１に沿って移動させることで貼付け治具４を斜め前後方向に位置調節し、これによって、図４に示す貼付け治具４の前端部とテーブル３の上面との間隙ｃの大きさを調節することが可能となっている。
【００３０】
上記のようにして前下がり傾斜姿勢で取付け支持された貼付け治具４における先細り前部の下面が、図４に示すように、第１案内面Ｆ1に構成されるとともに、その後方部分が第２案内面Ｆ2に構成されている。
【００３１】
ここで冶具本体５は、テーブル３の上面に対して１５°の傾斜角度αをもって前下がり傾斜され、かつ、第１案内面Ｆ１は、第２案内面Ｆ２に対して約８°の傾斜角度βをもって先上がり傾斜されており、結果として、第１案内面Ｆ1は、テーブル３の上面に対して７°の傾斜角度γをもち、これに続く第２案内面Ｆ２は、テーブル３の上面に対して１５°の傾斜角度αをもって対向するよう設定されている。また、前記ブラケット８のボルト挿通孔１１は、図３に示すように、第２案内面Ｆ２と平行に形成されている。
【００３２】
なお、第１案内面Ｆ1の第２案内面Ｆ2に対する傾斜角度βは、５°〜３０°好ましくは上記実施例のように８°に設定するとよい。また、第２案内面Ｆ2のテーブル３の上面に対する傾斜角度αも５°〜３０°に設定することが望ましい。
【００３３】
本発明は以上のように構成されており、研磨面を下向きにして発泡ポリウレタンシートＷをテーブル３の上に供給するとともに、その上に感熱接着面Ｓｔを下面にした粘着テープＴを重ねて供給し、重ねた発泡ポリウレタンシートＷと粘着テープＴとを貼付け治具４の前端部とテーブル３との間隙ｃを通して、回転する上下の貼付けローラ１，２の間に挿入することで、加熱によって接着性を発揮した粘着テープＴを発泡ポリウレタンシートＷに貼り合わすのである。
【００３４】
この場合、貼付け治具４における前端部の最下端とテーブル３の上面との間隙ｃの大きさを、重ねた発泡ポリウレタンシートＷと粘着テープＴとの厚さと同じ、あるいは、それより僅かに大きく（０〜１．０ｍｍ、好ましくは、０〜０．５ｍｍ）設定することで、上下の貼付けローラ１，２による貼り合わせ箇所の近くまで発泡ポリウレタンシートＷが上方に浮動することなく上下に挟持案内され、うねりなどの発生なく貼り合わせ処理することができる。
【００３５】
なお、前記粘着テープＴが連続状の場合には、図６に示すように、粘着テープＴを、貼付け治具４の上方を通って貼り合わせ箇所に供給し、貼付け治具４の最下端部とテーブル３の上面との間隙は、発泡ポリウレタンシートＷを浮動なく通過させる大きさに調節すればよい。
【００３６】
〔他の実施例〕
本発明は、以下のような形態で実施することもできる。
【００３７】
（１）前記貼付け治具４の第１案内面Ｆ1と第２案内面Ｆ2とを滑らかな湾曲面でつなぐ形態としてもよい。
【００３８】
（２）上記実施例では、ワークとしての発泡ポリウレタンシートの裏面に両面粘着テープＴを貼り合わせる場合を例示したが、研磨パッドに両面粘着テープＴを貼り合わせる場合に適用してもよく、また、樹脂材あるいは紙材からなる薄いシート状のワークＷに表面保護用の感熱接着性の粘着テープＴを貼り合わせる場合に適用することもできる。
【図面の簡単な説明】
【００３９】
【図１】テープ貼付け装置の要部を拡大した側面図である。
【図２】貼付け治具の斜視図である。
【図３】貼付け治具取付け部を示す側面図である。
【図４】貼付け治具の取付け姿勢を説明するための側面図である。
【図５】貼付け治具取付け部を示す一部切欠き正面図である。
【図６】粘着テープ供給形態の異なった要部の側面図である
【符号の説明】
【００４０】
１      貼付けローラ        ２        貼付けローラ
３      テーブル            ４        貼付け治具
５      治具本体            ｃ        間隙
Ｆ1     第１案内面          Ｆ2      第２案内面
Ｓt     感熱接着面          Ｔ        粘着テープ
Ｗ      ワーク              α        傾斜角度
γ      傾斜角度
【図１】
2007062893.tif 000003
【図２】
2007062893.tif 000004
【図３】
2007062893.tif 000005
【図４】
2007062893.tif 000006
【図５】
2007062893.tif 000007
【図６】
2007062893.tif 000008